(57)【要約】【課題】従来よりも脱気性能を向上可能な脱気構造を提供すること。【解決手段】脱気構造１は、建築構造物の屋上２に設置された屋根下地３と、屋根下地３の上に積層された脱気通路形成部材４と、屋根下地３と脱気通路形成部材４との間に設けられ、屋根下地３と脱気通路形成部材４との間の流体を横方向に流通させる第１脱気通路１１と、屋根下地３の平面部３ｄの上方に設けられて第１脱気通路１１に連通して流体を大気に放出する第１脱気装置８と、平面部３ｄから上方に立ち上がるように形成された立上部３ｅに設けられて第１脱気通路１１に連通して流体を大気に放出する第２脱気装置９と、を備えている。【選択図】図２
2018013014.tif 000002
【特許請求の範囲】
【請求項１】
建築構造物の屋上に設置された屋根下地と、
前記屋根下地の上に積層された脱気通路形成部材と、
前記屋根下地と前記脱気通路形成部材との間に設けられ、前記屋根下地と前記脱気通路形成部材との間の流体を横方向に流通させる第１脱気通路と、
前記屋根下地の平面部の上方に設けられて前記第１脱気通路に連通して前記流体を大気に放出する第１脱気装置と、
前記平面部から上方に立ち上がるように形成された立上部に設けられて前記第１脱気通路に連通して前記流体を大気に放出する第２脱気装置と、を備えることを特徴とする脱気構造。
【請求項２】
建築構造物の屋上に設置された屋根下地と、
前記屋根下地の上に積層された脱気通路形成部材と、
前記屋根下地と前記脱気通路形成部材との間に設けられ、前記屋根下地と前記脱気通路形成部材との間の流体を横方向に流通させる第１脱気通路と、
前記第１脱気通路に連通して前記流体を大気に放出する第１脱気装置と、を備え、
前記第１脱気通路は、前記脱気通路形成部材の底面に凹設された脱気溝からなり、
前記脱気溝の天井面は、前記第１脱気装置に向かって上り勾配となるように傾斜していることを特徴とする脱気構造。
【請求項３】
前記屋根下地の平面部から上方に立ち上がるように形成された立上部に設けられて、前記第１脱気通路に連通して前記流体を大気に放出する第２脱気装置を備えていることを特徴とする請求項２に記載の脱気構造。
【請求項４】
前記脱気通路形成部材の上に積層された少なくとも１つの積層体と、前記脱気通路形成部材と前記積層体との間又は前記積層体同士の間に設けられた第２脱気通路と、をさらに備え、
前記第１脱気装置は、前記脱気通路形成部材と前記積層体とを上下に貫通し中空部を備える筒状の脱気筒と、前記中空部と前記第１脱気通路とを連通する第１連通口と、前記中空部と前記第２脱気通路とを連通する第２連通口と、を備えることを特徴とする請求項１ないし請求項３のいずれか一項に記載の脱気構造。
【請求項５】
前記脱気通路形成部材の上面は、前記第１脱気装置に向かって上り勾配となるように傾斜しており、
前記第２脱気通路は、前記脱気通路形成部材の上面に沿って、前記第１脱気装置に向かって上り勾配となるように傾斜していることを特徴とする請求項４に記載の脱気構造。
【請求項６】
前記脱気通路形成部材の上に積層された少なくとも１つの積層体と、前記脱気通路形成部材と前記積層体との間又は前記積層体同士の間に設けられた第２脱気通路と、をさらに備え、
前記第２脱気装置は、前記立上部の前記第１脱気装置側の壁面に設けられた脱気部材と、
前記脱気部材の前記第１脱気装置側に形成された連通溝を覆う立上用シートと、
前記連通溝と前記立上用シートによって形成されて前記第１脱気通路及び前記第２脱気通路に連通する脱気部材通路と、を備えることを特徴とする請求項１ないし請求項３のいずれか一項に記載の脱気構造。
【請求項７】
前記屋根下地は、木材からなることを特徴とする請求項１ないし請求項５のいずれか一項に記載の脱気構造。
【発明の詳細な説明】
【技術分野】
【０００１】
本発明は、建築構造物の屋上に配置された下地木材と屋根下地との間に滞留する流体の脱気を行う脱気構造に関する。
【背景技術】
【０００２】
従来、コンクリート製の屋根下地と被覆層との間の脱気を行う脱気構造としては、例えば、特許文献１に記載のものが知られている。特許文献１には、屋上の下地コンクリートと被覆層との間に連通するように設置された第１脱気装置と、断熱層と防水層との間に連通するように設置された第２脱気装置と、両脱気装置の上部に設けられた雨カバーと、からなる脱気装置が記載されている。
【先行技術文献】
【特許文献】
【０００３】
【特許文献１】特開２００４−６０３７９号公報
【発明の概要】
【発明が解決しようとする課題】
【０００４】
近年、剛性の高い集成材などを用いて、大型の建築物を木造で構築することが増加している。木製の屋根下地は、湿度が高くなると腐朽し易くなる。また、屋上又は屋根が大型化するのに伴い、脱気装置までの距離が長くなり、脱気され難くなることがある。そのため、従来よりも脱気性能の高い脱気構造の開発が求められていた。
【０００５】
そこで、本発明は、従来よりも脱気性能を向上可能な脱気構造を提供することを目的とする。
【課題を解決するための手段】
【０００６】
本発明に係る脱気構造は、建築構造物の屋上に設置された屋根下地と、前記屋根下地の上に積層された脱気通路形成部材と、前記屋根下地と前記脱気通路形成部材との間に設けられ、前記屋根下地と前記脱気通路形成部材との間の流体を横方向に流通させる第１脱気通路と、前記屋根下地の平面部の上方に設けられて前記第１脱気通路に連通して前記流体を大気に放出する第１脱気装置と、前記平面部から上方に立ち上がるように形成された立上部に設けられて前記第１脱気通路に連通して前記流体を大気に放出する第２脱気装置と、を備えていることを特徴とする。
【０００７】
かかる構成によれば、脱気構造は、第１脱気装置と第２脱気装置との二つの脱気装置によって、第１脱気通路内に入り込んだ流体を大気中に効率よく放出することができるので、屋根下地の湿気を低下させることができる。
よって、本発明の脱気構造は、従来よりも脱気性能を向上させることが可能であるので、屋根下地にカビが発生したり、屋根下地が腐朽したりするのを抑制することができる。
【０００８】
本発明に係る脱気構造は、建築構造物の屋上に設置された屋根下地と、前記屋根下地の上に積層された脱気通路形成部材と、前記屋根下地と前記脱気通路形成部材との間に設けられ、前記屋根下地と前記脱気通路形成部材との間の流体を横方向に流通させる第１脱気通路と、前記第１脱気通路に連通して前記流体を大気に放出する第１脱気装置と、を備え、前記第１脱気通路は、前記脱気通路形成部材の底面に凹設された脱気溝からなり、前記脱気溝の天井面は、前記第１脱気装置に向かって上り勾配となるように傾斜していることを特徴とする。
【０００９】
かかる構成によれば、第１脱気通路を形成する脱気溝は、第１脱気装置に向かって上り勾配に傾斜している天井面により、水蒸気化された流体が高い位置に上昇するので、第１脱気通路内に入り込んだ流体を第１脱気装置側に誘導してスムーズに送ることができる。その第１脱気通路内の流体は、第１脱気装置から大気中に放出される。このため、脱気構造は、第１脱気通路内等に水蒸気が滞留したままになることを解消して、屋根下地の湿度を低下させることができる。
よって、本発明の脱気構造は、従来よりも脱気性能を向上させることが可能であるので、屋根下地にカビが発生したり、屋根下地が腐朽したりするのを抑制することができる。
【００１０】
また、前記屋根下地の平面部から上方に立ち上がるように形成された立上部に設けられて、前記第１脱気通路に連通して前記流体を大気に放出する第２脱気装置を備えていることが好ましい。
【００１１】
かかる構成によれば、脱気構造は、立上部に第２脱気装置を備えていることで、屋根下地から発生して第１脱気通路内の立上部寄りの部位に入り込んだ流体を第２脱気装置から大気に放出することができる。このため、脱気構造は、第１脱気装置と第２脱気装置とによって、第１脱気通路内の流体をスムーズに大気に放出することができる。
【００１２】
また、前記脱気通路形成部材の上に積層された少なくとも１つの積層体と、前記脱気通路形成部材と前記積層体との間又は前記積層体同士の間に設けられた第２脱気通路と、をさらに備え、前記第１脱気装置は、前記脱気通路形成部材と前記積層体とを上下に貫通し中空部を備える筒状の脱気筒と、前記中空部と前記第１脱気通路とを連通する第１連通口と、前記中空部と前記第２脱気通路とを連通する第２連通口と、を備えることが好ましい。
【００１３】
かかる構成によれば、脱気構造は、脱気通路形成部材と積層体との間又は積層体同士の間に設けられた第２脱気通路を備えていることで、脱気通路形成部材又は積層体から蒸発した水分等を含む流体を、第２脱気通路内に放出させることができる。このため、層内に結露ができたり、膨れ現象等の不具合が発生したりすることを解消することができる。
また、第１脱気装置は、脱気筒と、中空部と第１脱気通路とを連通する第１連通口と、中空部と第２脱気通路とを連通する第２連通口と、を備えていることで、１つの脱気筒で二つの脱気通路内の流体を大気中に放出することができる。このため、部品点数及び組付工数を削減してコストダウンを図ることができる。
【００１４】
また、前記脱気通路形成部材の上面は、前記第１脱気装置に向かって上り勾配となるように傾斜しており、前記第２脱気通路は、前記脱気通路形成部材の上面に沿って、前記第１脱気装置に向かって上り勾配となるように傾斜していることが好ましい。
【００１５】
かかる構成によれば、第２脱気通路は、第１脱気装置に向かって上り勾配となるように傾斜していることで、第２脱気通路内の流体が第１脱気装置に向かってスムーズに流れるため、第２脱気通路内に流体が滞留するのを防止することができる。
【００１６】
また、前記脱気通路形成部材の上に積層された少なくとも１つの積層体と、前記脱気通路形成部材と前記積層体との間又は前記積層体同士の間に設けられた第２脱気通路と、をさらに備え、前記第２脱気装置は、前記立上部の前記第１脱気装置側の壁面に設けられた脱気部材と、前記脱気部材の前記第１脱気装置側に形成された連通溝を覆う立上用シートと、前記連通溝と前記立上用シートによって形成されて前記第１脱気通路及び前記第２脱気通路に連通する脱気部材通路と、を備えることが好ましい。
【００１７】
かかる構成によれば、脱気構造は、脱気通路形成部材と積層体との間又は積層体同士の間に設けられた第２脱気通路を備えていることで、脱気通路形成部材又は積層体から蒸発した水分等を含む流体を、第２脱気通路内に放出させることができる。このため、層内に結露ができたり、膨れ現象等の不具合が発生したりすることを解消することができる。
また、第２脱気装置は、立上部に設けられた脱気部材と、脱気部材の連通溝を覆う立上用シートと、第１脱気通路及び第２脱気通路に連通する脱気部材通路と、を備えていることで、１つの脱気部材で二つの脱気通路内の流体を大気中に放出することができる。このため、部品点数及び組付工数を削減してコストダウンを図ることができる。
【００１８】
また、前記屋根下地は、木材からなることが好ましい。
【００１９】
かかる構成によれば、屋根下地は、木材からなることにより、木材に含まれていた湿気が太陽光線の日射熱等によって蒸発されても、第１脱気通路及び第２脱気装置から大気中に放出されるため、腐朽することが抑制される。
【発明の効果】
【００２０】
本発明に係る脱気構造によれば、屋根下地に含まれている水分をスムーズに排出して、従来よりも脱気性能を向上させることが可能である。
【図面の簡単な説明】
【００２１】
【図１】本発明の実施形態に係る脱気構造の一例を示す要部概略縦断面図である。
【図２】図１の要部拡大図である。
【図３】脱気通路形成部材の底面を示す要部拡大概略斜視図である。
【図４】図１のＩＶ−ＩＶ拡大断面図である。
【発明を実施するための形態】
【００２２】
次に、図１〜図４を参照しながら本発明の実施形態に係る脱気構造の一例を説明する。なお、便宜上、図１に示す天地方向を上下、屋上２の勾配方向を左右、また、図１の紙面に直交する方向を前後として説明する。また、図１〜図４は、積層体Ｌ、第１脱気通路１１及び第２脱気通路１２の厚さや大きさを誇張して記載してある。
【００２３】
本発明の脱気構造１は、例えば、図１に示すように、木造の建築構造物Ｂの屋上２等に使用される。なお、脱気構造１及び脱気通路形成部材４は、建築構造物Ｂの屋上２、バルコニー、ベランダ、テラス、外部廊下、玄関等にも使用可能である。以下、本発明の脱気構造１の一例として、建築構造物Ｂの屋上２に使用される場合を例に挙げて説明する。
【００２４】
＜脱気構造＞
脱気構造１は、建築構造物Ｂの屋上２に設置された屋根下地３及び積層体Ｌ内に含まれていた水分の蒸発に起因して発生した気体及び結露等の水分（以下、適宜「流体」という）を、大気中に排出するための構造である。脱気構造１は、屋根下地３と、屋根下地３の上に積層された脱気通路形成部材４と、脱気通路形成部材４の上に積層された積層体Ｌと、流体を流通させる第１脱気通路１１及び第２脱気通路１２と、第１及び第２脱気通路１１，１２内の流体を放出する第１脱気装置８及び第２脱気装置９と、を有する。
【００２５】
このように、脱気構造１は、屋根下地３から出た流体を第１及び第２脱気装置８，９を介して大気中に放出させる第１脱気通路１１と、積層体Ｌから出た流体を第１及び第２脱気装置８，９を介して大気中に放出させる第２脱気通路１２と、の二つの流路を備えて構成されている。
【００２６】
＜建造構造物＞
建築構造物Ｂは、木構造あるいは木質構造の建物からなる。建築構造物Ｂは、屋上２部位に集成材等からなる屋根下地３を備えている。
【００２７】
＜屋上＞
屋上２は、上面３ａが平らな屋根下地３の上に、下側から順に、第１脱気通路１１を形成する脱気通路形成部材４と、第２脱気通路１２を内設した積層体Ｌとを積層して構成されると共に、第１及び第２脱気装置８，９を配置している。屋上２の上面は、縦断面視して中央部が最上部になるように、左右両端部から屋上２の中央部に亘って上り勾配に傾斜している。
以下、本発明の脱気構造１の一例として、図１に示すように、左右対称に形成された屋上２の場合を例に挙げて説明し、適宜左側を主に説明して右側の説明を省略する。
【００２８】
＜屋根下地＞
図２に示すように、屋根下地３は、構造用の集成材等の木材からなる。集成材の一例としては、例えば、板の層を各層で互いに直交するように積層して接着剤で接着して集成した厚型パネルのＣＬＴ（Cross Laminated Timber）等が挙げられる。屋根下地３は、水平に配置された平面部３ｄと、平面部３ｄの左右端部から上方に立ち上がるように形成された立上部３ｅと、を有している。
【００２９】
＜脱気通路形成部材＞
脱気通路形成部材４は、屋上２に排水勾配を形成すると共に、第１脱気通路１１を形成するためのブロック状の部材である。脱気通路形成部材４は、断熱材でもある。脱気通路形成部材４は、屋根下地３の上面３ａ上に積層される。脱気通路形成部材４は、例えば、複数の硬質ウレタン材等からなる。
【００３０】
脱気通路形成部材４は、脱気通路形成部材４の底面４ｂと、底面４ｂに凹設された脱気溝４ａと、脱気溝４ａ内の天井面４ｃと、排水勾配を形成するための上面４ｄと、上面４ｄに形成された丘陵部４ｅと、脱気溝４ａの頂部４ｇに形成された脱気筒設置孔４ｆと、を有している。つまり、脱気通路形成部材４は、脱気溝４ａと、屋根下地３の上面３ａと、によって形成された第１脱気通路１１を有する勾配用スタイロからなる。
【００３１】
図３に示すように、脱気溝４ａは、第１脱気通路１１を形成するための格子状の凹溝である。換言すると、脱気溝４ａは、左右方向に延設されて溝内の天井面４ｃが傾斜している多数の凹溝と、前後方向に延設されて溝内の天井面４ｃが水平に形成された多数の凹溝と、が交差して格子状に形成されている。脱気溝４ａは、多数の凸部形状の底面４ｂの外周に形成されている。脱気溝４ａの下側開口は、屋根下地３の上面３ａによって閉塞されている。
【００３２】
底面４ｂは、側面視して脱気溝４ａ間に突設された多数の凸部の水平な先端面（下端面）からなり、平面視して矩形に形成されている。図２に示すように、底面４ｂは、屋根下地３の上面３ａに当接した状態に配置されている。
【００３３】
脱気溝４ａの天井面４ｃは、第１脱気通路１１内に流れ込んだ流体を第１脱気装置８に向けて流れるようにガイドする面である。図３に示すように、天井面４ｃは、第１脱気装置８が配置される方向（頂部４ｇが形成されている方向（矢印ａ方向））に向けて上り勾配となるように傾斜して形成された傾斜面からなる。天井面４ｃの勾配をＳ１、後記する脱気通路形成部材４の上面４ｄの勾配をＳ２とすると、天井面４ｃの勾配Ｓ１は、
Ｓ１≦Ｓ２
である。天井面４ｃの勾配Ｓ１は、例えば、１％程度である。脱気通路形成部材４の上面４ｄの勾配Ｓ２は、例えば、２％程度である。
【００３４】
上面４ｄは、例えば、中央部の丘陵部４ｅから左右方向に向けて下がるように傾斜した傾斜面からなる。換言すると、上面４ｄは、第１脱気装置８に向かって上り勾配となるように傾斜している。これにより、脱気通路形成部材４の上に積層される積層体Ｌ（防水層７）の上面に排水勾配が形成される。
【００３５】
丘陵部４ｅは、脱気通路形成部材４の最も高い位置に略稜線状（略尾根状）に形成された部位である。丘陵部４ｅは、脱気通路形成部材４の上面４ｄの中央部に前後方向に延設されている。
脱気筒設置孔４ｆは、脱気筒８１を装着するための貫通孔である。脱気筒設置孔４ｆは、丘陵部４ｅの延設されている部位に、適宜な間隔で上下方向に穿設されている。
頂部４ｇは、天井面４ｃの最も高い位置であり、丘陵部４ｅの下方で丘陵部４ｅに沿って前後方向に延びている。
【００３６】
＜積層体＞
図２に示すように、積層体Ｌは、脱気通路形成部材４の上に、下側から順に、防水下地５、第２脱気通路１２を形成する通気シート６、防水層７を積層して構成される。複数の部材を積層した積層体Ｌには、傾斜した脱気通路形成部材４の上面４ｄに沿って平行に配置された第２脱気通路１２が設けられている。積層体Ｌの中央部には、脱気筒設置孔４ｆに連通する脱気筒挿通孔Ｌａが形成されている。
【００３７】
＜防水下地＞
図２に示すように、防水下地５は、脱気通路形成部材４の上に設置された下地材である。この防水下地５は、例えば、ベニヤ板等の合板の表面に、ポリエステル樹脂とガラス繊維とからなる繊維強化プラスチック（ＦＲＰ樹脂）をコーティングした合板からなる。
【００３８】
＜通気シート＞
通気シート６は、防水下地５の上面５ａに載設されたシートである。この通気シート６は、例えば、樹脂製のシートや、通気緩衝シートや、無機質板等からなる。通気シート６の下面には、例えば、防水下地５の上面５ａとで、第２脱気通路１２を形成するための凹凸部６ａが形成されている。
【００３９】
凹凸部６ａは、通気シート６の下面に第２脱気通路１２を形成する部位である。凹凸部６ａは、流体が流れる通気層を形成するものであれば、その形状は特に限定されない。凹凸部６ａは、防水下地５の上面５ａに接着されて、通気シート６の下端面を形成する凸部６ｂと、第２脱気通路１２を形成するための凹溝からなる凹溝部６ｃと、によって形成されている。
【００４０】
凸部６ｂの下端面は、図３に示す脱気通路形成部材４の底面４ｂと同様に、通気シート６の底面を形成している。
図２に示すように、凹溝部６ｃは、脱気通路形成部材４の脱気溝４ａと同様に、格子状に凹設されている。凹溝部６ｃは、通気シート６の左側端部から右側端部に亘って延設されると共に、通気シート６の前側端部から後端部に亘って延設されている。
【００４１】
＜第１脱気通路＞
第１脱気通路１１は、屋根下地３と脱気通路形成部材４との間に設けられ、屋根下地３と脱気通路形成部材４との間の流体を横方向（矢印ａ方向）に流通させて脱気筒８１の第１連通口８２ｄに送るための流路である。第１脱気通路１１は、脱気通路形成部材４の底面４ｂに凹設された脱気溝４ａと、脱気溝４ａの下側開口部を閉塞する屋根下地３の上面３ａと、で形成されている。第１脱気通路１１は、中央部が脱気筒８１の中空部８１ｃ内と連通し、左右両端部が脱気部材９１の連通溝９１ａ（脱気部材通路１４）内と連通している。
【００４２】
なお、第１脱気通路１１は、前記した天井面４ｃを有する脱気溝４ａを備えていて、第１脱気通路１１内の気体を脱気筒８１の中空部８１ｃ内と、脱気部材９１の連通溝９１ａ内と、に送ることが可能であれば、その構成、形状は特に限定されない。
【００４３】
＜第２脱気通路＞
第２脱気通路１２は、防水下地５から出た水分等を含む気体（流体）を脱気筒８１の第２連通口８１ｅを介して中空部８１ｃ内に流すための流路である。第２脱気通路１２は、脱気通路形成部材４の上面４ｄに沿って、第１脱気装置８に向かって上り勾配となるように傾斜している。第２脱気通路１２は、防水下地５の上面５ａと、この上面５ａに載設された通気シート６の下面の凹凸部６ａと、で形成される空間からなる。第２脱気通路１２は、通気シート６の凹凸部６ａによって、前記第１脱気通路１１と同様に、凹溝部６ｃが左右方向及び前後方向に凹設されて格子状に形成されている。第２脱気通路１２は、中央部が脱気筒８１の中空部８１ｃ内と連通し、左右両端部が脱気部材９１の連通溝９１ａ（脱気部材通路１４）内と連通している。
【００４４】
＜防水層＞
防水層７は、通気シート６の上面（屋上２の床面）全体と、立上部３ｅの外周面の一部と、後記する立上用シート９２の外側面と、をコーティングするように設けられた防水用の層である。防水層７は、例えば、シート防水、塗膜防水等の防水材で形成されている。防水層７は、さらに具体例を挙げると、ウレタン防水、ＦＲＰ（繊維強化プラスチック）防水等で施層されている。
【００４５】
＜第１脱気装置＞
第１脱気装置８及び第２脱気装置９は、第１及び第２脱気通路１１，１２内に流出した流体を大気中に放出するための装置である。第１脱気装置８は、脱気通路形成部材４と積層体Ｌとを上下に貫通し中空部８１ｃを備える筒状の脱気筒８１と、脱気筒８１の上側開口部８１ｆの上方外周部を空間を介して覆う雨水カバー８２と、を備えて構成されている。第１脱気装置８は、屋根下地３の平面部３ｄの上方において、脱気溝４ａの天井面４ｃが最も高い位置、かつ、第２脱気通路１２の最も高い位置となる箇所（脱気通路形成部材４の丘陵部４ｅは配置されている箇所）に、前後方向に適宜な間隔を介して設置されている。
【００４６】
図２に示すように、脱気筒８１は、第１及び第２脱気通路１１，１２から流れて来た流体を、屋上２（積層体Ｌ）の上面の上方に送るための管状部材である。脱気筒８１は、例えば、鍔付き円筒状のステンレス製部材からなる。脱気筒８１は、第１連通口８１ｄを有する平板状のベース板部８１ａと、第１連通口８１ｄの縁部から上方向に延設された筒部８１ｂと、から主に形成されている。ベース板部８１ａと筒部８１ｂとは、１つの部材で一体形成したものであっても、それぞれを別個に形成したものを接合して一体化させたものであってもよい。
【００４７】
ベース板部８１ａは、脱気溝４ａ内の頂部４ｇに装着される部位である。ベース板部８１ａは、中央部に第１連通口８１ｄを有する円環状の平板部材、あるいは、中央部に第１連通口８１ｄを有する矩形の平板部材によって形成されている。
【００４８】
筒部８１ｂは、脱気通路形成部材４の脱気筒設置孔４ｆ及び積層体Ｌの脱気筒挿通孔Ｌａに挿通した状態に装着される部位である。筒部８１ｂは、中空部８１ｃを有する円筒状の部材からなる。筒部８１ｂは、下端部に第１連通口８１ｄを有し、上端部に上側開口部８１ｆを有し、側面中央部に第２連通口８１ｅを有している。
【００４９】
中空部８１ｃは、第１及び第２脱気通路１１，１２内から流れ込んだ流体を上方向（矢印ｃ，ｅ方向）に流して大気中に放出するための煙突状の流路を形成する部位である。
第１連通口８１ｄは、第１脱気通路１１内の流体が中空部８１ｃに流れ込む入口となる部位である。第１連通口８１ｄは、中空部８１ｃと第１脱気通路１１とを連通している。第１連通口８１ｄは、第１脱気通路１１の天井面４ｃの頂部４ｇに配置されている。
【００５０】
第２連通口８１ｅは、第２脱気通路１２内の流体が中空部８１ｃに流れ込む入口となる部位である。第２連通口８１ｅは、中空部８１ｃと第２脱気通路１２とを連通している。第２連通口８１ｅは、筒部８１ｂにおいて、第２脱気通路１２の最上部となる位置に穿設されている。
上側開口部８１ｆは、筒部８１ｂの上端に形成された排気口である。上側開口部８１ｆは、防水層７よりも高い位置に配置されている。
【００５１】
雨水カバー８２は、上側開口部８１ｆから中空部８１ｃ内に雨水や異物等が侵入するのを防止するための部材である。雨水カバー８２は、脱気筒８１の外径よりも大きな内径の有底円筒状の部材からなる。雨水カバー８２は、上側開口部８１ｆ及び筒部８１ｂの上部に対して、脱気筒８１の上部外面と、雨水カバー８２の内面とで形成する排気流路１３の空間を介して、上方から被せた状態に配置されている。
【００５２】
排気流路１３は、第１及び第２脱気通路１１，１２から脱気筒８１の中空部８１ｃを介して流れて来た気体を大気中に排気するための排気口を有する流路である。
【００５３】
＜第２脱気装置＞
図２に示すように、第２脱気装置９は、屋根下地３の平面部３ｄの左右端部から上方に立ち上がるように形成された立上部３ｅに設けられて第１及び第２脱気通路１１，１２に連通して流体を大気に放出する装置である。第２脱気装置９は、立上部３ｅの第１脱気装置８側に設けられた脱気部材９１と、脱気部材９１の第１脱気装置８側に形成された連通溝９１ａ及び外側面９１ｂを覆う立上用シート９２と、連通溝９１ａと立上用シート９２等によって形成された脱気部材通路１４の上側開口部の上方外周部を空間を介して覆う水切板９３と、を備えて構成されている。
【００５４】
＜脱気部材＞
図２又は図３に示すように、脱気部材９１は、第１及び第２脱気通路１１，１２の立上部３ｅ寄りの部位から流れて来た気体を、水切板９３の下の第２排気通路１５に送る脱気部材通路１４を形成するための板状部材である。脱気部材９１は、例えば、上下方向に長い矩形のゴム製板材、あるいは、樹脂製板材からなる。脱気部材９１には、この脱気部材９１の垂直な外側表面を形成する外側面９１ａと、外側面９１ａに上下方向に複数延設された凹溝形状の脱気溝９１ｂと、が形成されている。脱気部材９１は、屋根下地３の平面部３ｄ上に載設されると共に、立上部３ｅの表面に固着されている。脱気部材９１の上端には、水切板９３が設けられている。
【００５５】
外側面９１ａは、下側から順に、脱気通路形成部材４の端面、防水下地５の端面、通気シート６の端面、及び、立上用シート９２の立上部３ｅ側の表面が接着されて覆われている。
連通溝９１ｂは、横方に適宜な間隔で複数形成された縦溝からなる。連通溝９１ｂは、脱気部材９１の上端から下端に亘って延設されている。連通溝９１ｂは、横断面視して外側面９１ａに凹溝状に形成されて開放した状態に形成されている。
【００５６】
＜立上用シート＞
図２又は図３に示すように、立上用シート９２は、脱気部材９１の上部の外側面９１ａと、脱気部材９１の上側周辺と、を覆う防水シートである。このため、立上用シート９１は、第２脱気通路１２よりも上側にある連通溝９１ｂの外側の開口を閉塞して、脱気部材通路１４の外側方向の内壁の一部を形成している。立上用シート９２は、例えば、弾性を有する緩衝シート、あるいは、パネル部材等の板材によって形成されている。
【００５７】
＜脱気部材通路＞
図２に示すように、脱気部材通路１４は、下流側が第１及び第２脱気通路１１，１２に連通されて、上流側が第２排気通路１５に連通され、第１脱気通路１１及び第２脱気通路１２内から流れて来た気体を第２排気通路１５に送るための流路である。図２又は図３に示すように、脱気部材通路１４は、脱気部材９１の外側面９１ａに開放して形成されて上下方向に延設された連通溝９１ｂと、連通溝９１ｂの開口縁がある外側面９１ａを覆う脱気通路形成部材４、防水下地５、通気シート６及び立上用シート９２と、で形成された空間からなる。脱気部材通路１４を形成するための脱気部材９１の連通溝９１ｂには、第１脱気通路１１を形成するための脱気通路形成部材４の脱気溝４ａの一部と、第２脱気通路１２を形成するための通気シート６の凹溝部６ｃの一部と、が対向して配置されている。このようにして、上下方向に延設された脱気部材通路１４には、脱気部材９１の外側面９１ａに直交するように横設された第１及び第２脱気通路１１，１２が、連通した状態に設けられている。
【００５８】
＜第２排気通路＞
図２に示すように、第２排気通路１５は、第１及び第２脱気通路１１，１２の立上部３ｅ寄りの部位から脱気部材通路１４を介して流れて来た気体を大気中に排気するための排気口を形成する流路である。
【００５９】
＜水切板＞
水切板９３は、脱気部材９１、立上用シート９２、及び、防水層７が配置されている部位の上部を囲むようにして設けられた水避け用の金属製板部材である。この水切板９３は、立上部３ｅを覆っている防水層７の上部外側面に固定されている。
【００６０】
≪作用≫
次に、本発明の実施形態に係る脱気構造の作用を説明する。
図１に示す屋根下地３は、建築構造物Ｂを建築中に降雨等によって濡れて、過度に含水した状態になることがある。その水を含んだ状態の屋根下地３の平らな上面３ａ上に、図１に示すように、脱気通路形成部材４及び積層体Ｌを設けると、屋根下地３は、水分を含んだままの状態になる。
【００６１】
その屋根下地３内の湿気等の水分に含まれていた水分は、太陽光線の日射熱等によって蒸発されて、第１脱気通路１１内に入り込む。その水分や、第１脱気通路１１内にあった水等は、太陽光線の熱によって暖められることで気化され、水蒸気圧が高くなって拡散して上昇する。
【００６２】
第１脱気通路１１内の気化された気体は、図２及び図３に示すように、脱気溝４ａの傾斜している天井面４ｃにガイドされて、天井面４ｃに沿って頂部４ｇに向かって横方向（矢印ａ，ｂ方向）に流れて、頂部４ｇにある第１連通口８１ｄから脱気筒８１内に入り込む。その気体は、脱気筒８１内を上方向（矢印ｃ方向）に上昇して排気流路１３を通って雨水カバー８２の下端の開口から大気中に排気される。
【００６３】
このように、脱気通路形成部材４において、脱気溝４ａの天井面４ｃは、第１脱気装置８に向かって上り勾配に傾斜しているので、水蒸気化された流体が高い位置に上昇するため、第１脱気通路１１内の流体を第１脱気装置８側に誘導してスムーズに送ることができる。
【００６４】
また、脱気構造１は、立上部３ｅに第２脱気装置９を備えていることで、屋根下地３から発生して第１脱気通路１１内の立上部３ｅ寄りの部位に入り込んだ流体を第２脱気装置９から大気中に放出することができる。このため、脱気構造１は、第１脱気装置８と第２脱気装置９とによって、第１脱気通路１１内の流体をスムーズに大気中に放出することができる。
【００６５】
このように、屋根下地３に含まれていた水分が蒸発して気化した流体は、屋根下地３の上にある第１脱気通路１１内に流れ込むと、第１及び第２脱気装置８，９から大気中に放出されるので、第１脱気通路１１内等に滞留したままになることを解消することができる。
よって、脱気構造１は、屋根下地３が雨水等に濡れた際に含まれていた水分を、第１脱気通路１１内等に滞留したままになることを解消し、第１脱気装置８と第２脱気装置９との二つの脱気装置によって大気中に効率よく放出して脱気することができる。このため、屋根下地３の湿気を積極的に低下させて、屋根下地３にカビが発生したり、屋根下地３が腐朽したりするのを防止することができる。
【００６６】
また、防水下地５が湿気を含んでいる場合、その湿気は、太陽光線の熱等によって蒸発されて、第２脱気通路１２内に入り込む。第２脱気通路１２は、第１脱気装置８が設置されている丘陵部４ｅに向かって上り勾配となるように傾斜している脱気通路形成部材４の上面４ｄ上に設けた防水下地５と通気シート６とで形成されて、脱気通路形成部材４の上面４ｄに沿って上り勾配となるように傾斜している。
【００６７】
このため、第２脱気通路１２内の湿気は、第１脱気装置８の脱気筒８１の第２連通口８１ｅに向かって横方向（矢印ｄ方向）にスムーズに流れるので、第２脱気通路１２内に流体が滞留するのを防止することができる。その結果、防水下地５や層内に、カビや、結露ができたり、膨れ現象等の不具合が発生したりするのを解消することができる。
【００６８】
また、第１脱気装置８は、脱気筒８１と、中空部８ｃと第１脱気通路１１とを連通する第１連通口８１ｄと、中空部８ｃと第２脱気通路１２とを連通する第２連通口８１ｅと、を有している。このため、第１脱気装置８は、１つの脱気筒８１で二つの脱気通路内の流体を大気中に放出することができる。その結果、第１脱気装置８は、構造を簡素化して、部品点数及び組付工数を削減してコストダウンを図ることができる。
【００６９】
また、第１脱気装置８は、脱気筒８１の上側開口部８１ｆの上方に、排気流路１３を形成するように雨水カバー８２で覆っているので、上側開口部８１ｆから雨水等が入り込んで、脱気筒８１を介して屋根下地３を湿らすのを防止することができる。このため、第１脱気装置８は、常に、雨水カバー８２内の排気流路１３から気体を効率よく大気中に排出させて、屋根下地３及び積層体Ｌ内を乾燥させることができる。
また、雨水カバー８２上、及び、防水層７上に降った雨水は、防水層７上の排水勾配を左右端方向（矢印ｆ方向）に向かって流れる。
【００７０】
このように脱気構造１は、第１脱気通路１１の脱気溝４ａの天井面４ｃと、第２脱気通路１２と、を脱気筒８１に向かって上り勾配に傾斜していることで、第１及び第２脱気通路１１，１２内の流体を第１脱気装置８を介してスムーズに排出させることができる。その結果、屋上２に配置する第１脱気装置８の数を従来よりも減らしても、第１及び第２脱気通路１１，１２内の流体を良好に排出して脱気を行うことができる。
【００７１】
さらに、脱気構造１は、立上部３ｅに設けられた脱気部材９１と、脱気部材９１の連通溝９１ａを覆う立上用シート９２と、第１及び第２脱気通路１１，１２に連通する脱気部材通路１４と、を有する第２脱気装置９を備えている。このため、脱気構造１は、第１及び第２脱気通路１１，１２内の立上部３ｅ寄りの流体を第２脱気装置９から大気中に放出することができるため、第１及び第２脱気通路１１，１２内の流体を、さらに、スムーズに排出することができる。
【００７２】
［変形例］
以上、本実施形態に係る脱気構造について、図面を参照して詳細に説明したが、本発明はこれらの実施形態に限定されるものではなく、本発明の趣旨を逸脱しない範囲で適宜変更可能であることは言うまでもない。
【００７３】
前記実施形態で脱気通路形成部材４の脱気筒設置孔４ｆは、図３に示すように、丘陵部４ｅの延長線上に適宜な間隔で形成して脱気筒８１を挿設した場合を説明したが、これに限定されるものではない。例えば、脱気筒設置孔４ｆは、広い屋上２の場合、屋上２の広さに応じて、上面４ｄの左右の傾斜部分に適宜な間隔で形成して、脱気筒設置孔４ｆの数を増やしてもよい。
このように構成された脱気筒設置孔４ｆを有する脱気構造１及び脱気通路形成部材４は、脱気筒設置孔４ｆの数の増加に伴って、脱気筒８１を増設することができるため、流体の大気中への放出をさらに良好にさせることができる。
【００７４】
また、前記実施形態は、積層体Ｌの一例として、図２に示すように、脱気通路形成部材４の上面４ｄ上に、防水下地５と、通気シート６と、防水層７との三つの層を積層したものを例に挙げて説明したが、これに限定されない。積層体Ｌは、脱気通路形成部材４の上に少なくとも１つの薄いシート状の部材（層）を積み上げて接着して積層してあればよく、適宜、積層構造を変更しても構わない。
【００７５】
また、積層体Ｌは、さらに多い層を積層して、第２脱気通路１２を積層体Ｌの複数の層同士の間に設けて、第２脱気通路１２を複数形成してもよい。
また、脱気通路形成部材４と積層体Ｌとの間に、第２脱気通路１２を形成してもよい。
【００７６】
このように、第２脱気通路１２は、積層体Ｌ同士の間に設けたものであればよく、積層体Ｌの材質や積層数に応じて、適宜な数にしてもよい。
このようにしても、第２脱気通路１２は、積層体Ｌから蒸発した水分等を含む流体を、第１脱気装置８を介して大気中に放出して、層内に結露ができたり、膨れ現象等が発生したりすることを解消することができる。
【００７７】
また、本発明に係る脱気構造１は、屋上２に限れず、積層構造のバルコニー、ベランダ、テラス、外部廊下、玄関等の脱気にも同様に使用することができる。
また、屋根下地３は、一例として木製の場合を例に挙げて説明したが、コンクリートやモルタル等の他の材質のものであっても適用可能である。
【符号の説明】
【００７８】
１      脱気構造
２      屋上
３      屋根下地
３ａ    上面
３ｄ    平面部
３ｅ    立上部
４      脱気通路形成部材
４ａ    脱気溝
４ｂ    底面
４ｃ    天井面
４ｄ    上面
８      第１脱気装置
９      第２脱気装置
１１    第１脱気通路
１２    第２脱気通路
１４    脱気部材通路
８１    脱気筒
８１ｃ  中空部
８１ｄ  第１連通口
８１ｅ  第２連通口
９１    脱気部材
９１ａ  連通溝
９２    立上用シート
Ｂ      建築構造物
Ｌ      積層体
【図１】
2018013014.tif 000003
【図２】
2018013014.tif 000004
【図３】
2018013014.tif 000005
【図４】
2018013014.tif 000006